(57)【要約】【課題】  装着が容易で、軽く、拘束感も小さく、また睡眠時の動きによっても装着状態が変わらない、首筋から肩と肩甲骨、さらに心臓を、冷えから護る健康コートを提供する。【解決手段】  健康コートは、胸部を覆う前面部１と、背部を覆う背面部３と、肩部を覆い、前面部１及び背面部３間に配置された中間部３とを備えている。前面部１及び背面部３の両側部は繋がっており、中間部２の両端には腕部を通す空間４が設けられ、中間部２中央には頸部を通す空間５が設けられている。前面部１及び背面部３の両側部のいずれか一方もしくは前面部１中央には、接離自在の接合部が設けられている。接合手段としてはファスナー６、ボタン７及びワンタッチテープ８等がある。保温材料で形成されている。【選択図】  図２
0003124174.tif 000002
【実用新案登録請求の範囲】
【請求項１】
胸部を覆う前面部と、背部を覆う背面部と、肩部を覆い、前記前面部及び前記背面部間に配置された中間部とを備え、前記前面部及び前記背面部の両側部はそれぞれ繋がっており、前記中間部の両端には腕部を通す空間が設けられており、前記中間部中央には頸部を通す空間が設けられ、且つ保温材料で形成されていることを特徴とする保温コート。
【請求項２】
前記前面部及び前記背面部の両側部のいずれか一方もしくは前記前面部中央には、接離自在の接合部が設けられていることを特徴とする請求項１に記載の保温コート。
【考案の詳細な説明】
【技術分野】
【０００１】
本考案は、人体の肩部を保護して筋肉組織内の血行障害を防ぐ保温上衣に関するものである。
【背景技術】
【０００２】
高齢になるに従い、肩や肩甲骨の組織内の血行障害が起き易くなる。特に睡眠時、部屋の温度が下がってくると、肩や肩甲骨を取り巻く筋肉組織（特に僧帽筋など）内の血行障害によって眠れないほどの痛みに襲われる。冬の寒い時期、又は夏冷房で室内温度が冷えてくるとその傾向が顕著となる。古来、例えば寒冷地では睡眠時露出しがちな肩・肩甲骨の冷えによる血行障害を防ぐため、布団がわりに、左右の腕を通す綿入れの丹前を用いるなどの対策をしてきた。昨今では暖房の普及により、使い勝手の悪い丹前に代わり、ショール型の防寒製品が普及している。ショール型の防寒製品は首筋から肩、肩甲骨にかけてのみの冷えを防ぐもので、装着が容易であること、また丹前と違い首、肩近傍部分のみの装着であるため軽く、拘束感も小さいことから広く使用されている。
【０００３】
しかしショール型の防寒製品は、広く使用されている反面、睡眠時の寝返りなどの動きによって捲れたり、ずれたりすることで、その機能を十分に果たせない状態になることも多い。従来の肩などを防寒する上着としては、携帯性と防寒性を兼ね備えた防寒ポンチョが特許文献１に記載されている。
【特許文献１】特開平１０−２５１９０５号公報
【考案の開示】
【考案が解決しようとする課題】
【０００４】
本考案は、装着が容易で、軽く、拘束感も小さく、また睡眠時の動きによっても装着状態が変わらない、首筋から肩と肩甲骨、さらに心臓を、冷えから護る健康コートを提供する。
【課題を解決するための手段】
【０００５】
本考案の健康コートの一態様は、胸部を覆う前面部と、背部を覆う背面部と、肩部を覆い、前記前面部及び前記背面部間に配置された中間部とを備え、前記前面部及び前記背面部の両側部は繋がっており、前記中間部の両端には腕部を通す空間が設けられており、前記中間部中央には頸部を通す空間が設けられ、且つ保温材料で形成されていることを特徴としている。
【考案の効果】
【０００６】
本考案によれば、以上の構成により、装着が容易で、軽く、拘束感も小さく、また睡眠時の動きによっても装着状態が変わらない、更に首筋から肩と肩甲骨、心臓を冷えから護ることができる。
【考案を実施するための最良の形態】
【０００７】
以下、実施例を参照して考案の実施の形態を説明する。
【実施例１】
【０００８】
まず、図１乃至図４を参照して実施例１を説明する。
図１は、健康コートの正面図、図２は、図１の健康コートの前後を開いて一枚の生地にした状態の平面図、図３は、図１の健康コートを装着した状態の正面図及び背面図、図４は、人体の肩の近傍にある僧帽筋を示す平面図である。
この実施例の健康コートは、例えば、フリース、フラノ、メリヤスなどの厚手の布地から作られており、前面部１と中間部２と背面部３とから構成されている。前面部１は、人体の胸部を覆い、前面部１及び背面部３間に配置された中間部２は、肩部を覆い、前記背面部は、背部を覆い、前面部１及び背面部３の両側部はそれぞれ繋がっており、中間部２の両端には腕部を通す空間４が設けられ、中間部２中央には頸部を通す空間５が設けられている。中間部２は、中間部前部２ａと中間部後部２ｂとからなり、頸部を通す空間５は、中間部前部２ａに形成されている。この実施例では、人体への装着を容易にするために前面部１の中央には、接離自在の接合部が設けられ、この開閉部には、前開きファスナー（図１（ａ）、図２（ａ）参照）６、前開きボタン（図１（ｂ）、図２（ｂ）参照）７、前開きワンタッチテープ（図１（ｃ）、図２（ｃ）参照）８などの開閉装置、即ち、接離自在の接合部が設けられ健康コートの着脱を容易にしている。
【０００９】
図３は、この健康コートを着衣したときの状態を示している。健康コートは、通常のシャツなどと同様に、開閉装置（この図ではファスナーを用いている）を開いて、腕部を通す空間４に腕を通し、頸部を通す空間５に首を通し、その後開閉装置を閉じて、主として肩部及びその周辺を包み、肩部を保護する。開閉装置として前開きボタンやファスナーを用いる場合は、通常のシャツや上着などと同じであるが、この健康コートは肩部とその周辺を覆うものであって、腹部や腹部のうしろ部分を覆うものではない。
この健康コートの装着時は、ファスナー６を開け、頸部を通す空間５が首にかかるようにし、前面部１が胸部を覆い、背面部３が背中の肩甲骨周辺を覆い、また中間部２は、肩全体をそれぞれ覆うようにして後、ファスナー６を閉める。
【００１０】
この実施例で用いられる健康コートは、従来からある使い勝手の悪い丹前などとは異なり、首及び腕を通し、肩近傍のみの装着であるので、軽快で外れ難くゴルフなどのスポーツに最適であり、さらに、ショール型の防寒製品とは異なり、首及び腕を通して、肩近傍のみを防寒するので、拘束感なく睡眠時に使用して快適であると共に、睡眠時の寝返りなどの動きによって捲れたり、ずれたりすることで、その機能を十分に果たせない状態になることもない。
以上のように、この実施例によれば、健康コートは、肩部及びその周辺にある僧帽筋などの筋肉組織（図４参照）が十分に保護され、装着が容易で、軽く、拘束感も小さく、また睡眠時の動きによっても装着状態が変わらないなどの作用効果があり、更に首筋から肩と肩甲骨、心臓を冷えから護ることができる。
この実施例において、中間部２付近を布地が二重になるようにすれば、特に保温効果が優れたものになる。図３では、ファスナーを用いて説明しているが、開閉装置がボタンであったり、マジックテープ（登録商標）などを用いたワンタッチテープであっても良い（図１（ｂ）、（ｃ）参照）。
【実施例２】
【００１１】
次に、図５及び図６を参照して実施例２を説明する。
図５は、健康コートの正面図、図６は、図５の健康コートの前後を開いて一枚の生地にした状態の平面図である。
この実施例の健康コートは、例えば、フリース、フラノ、メリヤスなどの厚手の布地から作られており、前面部１と中間部２２と背面部２３とから構成されている。前面部２１は、人体の胸部を覆い、前面部２１及び背面部２３間に配置された中間部２２は、肩部を覆い、前記背面部は、背部を覆い、前面部２１及び背面部２３の両側部はそれぞれ繋がっており、中間部２２の両端には腕部を通す空間２４が設けられ、中間部２２中央には頸部を通す空間２５が設けられている。中間部２２は、中間部前部２２ａと中間部後部２２ｂとからなり、頸部を通す空間２５は、中間部前部２２ａに形成されている。
【００１２】
この実施例では、人体への装着を容易にするために前面部２１及び背面部の境界のいずれか一方もしくは両方には、開閉部が設けられ、この開閉部には、ファスナー（図５（ａ）、図６（ａ）参照）２６、ボタン（図５（ｂ）、図６（ｂ）参照）２７、ワンタッチテープ（図５（ｃ）、図６（ｃ）参照）２８などの開閉装置が設けられ健康コートの着脱を容易にしている。ワンタッチテープの場合は、双方の境界に設けられている。ワンタッチテープは、健康コートの両脇に付設されているので、着脱が一層容易になる。
【００１３】
この実施例で用いられる健康コートは、従来からある使い勝手の悪い丹前などとは異なり、首及び腕を通し、肩近傍のみの装着であるので、軽快で外れ難くゴルフなどのスポーツに最適であり、さらに、ショール型の防寒製品とは異なり、首及び腕を通して、肩近傍のみを防寒するので、拘束感なく睡眠時に使用して快適であると共に、睡眠時の寝返りなどの動きによって捲れたり、ずれたりすることで、その機能を十分に果たせない状態になることもない。
以上のように、この実施例によれば、健康コートは、肩部及びその周辺にある僧帽筋などの筋肉組織が十分に保護され、装着が容易で、軽く、拘束感も小さく、また睡眠時の動きによっても装着状態が変わらないなどの作用効果があり、更に首筋から肩と肩甲骨、心臓を冷えから護ることができる。
この実施例において、中間部２２付近を布地が二重になるようにすれば、特に保温効果が優れたものになる。
【実施例３】
【００１４】
次に、図７及び図８を参照して実施例３を説明する。
図７は、健康コートの正面図、図８は、図７の健康コートの前後を開いて一枚の生地にした状態の平面図である。
この実施例の健康コートは、例えば、フリース、フラノ、メリヤスなどの厚手の布地から作られており、前面部３１と中間部３２と背面部３３とから構成されている。前面部３１は、人体の胸部を覆い、前面部３１及び背面部３３間に配置された中間部３２は、肩部を覆い、前記背面部は、背部を覆い、前面部３１及び背面部３３の両側部はそれぞれ繋がっており、中間部３２の両端には腕部を通す空間３４が設けられ、中間部３２中央には頸部を通す空間３５が設けられている。中間部３２は、中間部前部３２ａと中間部後部３２ｂとからなり、頸部を通す空間３５は、中間部前部３２ａに形成されている。
【００１５】
前述した実施例１、２では、人体への装着を容易にするために開閉装置が設けられて、その着脱を容易にしているが、この実施例では開閉装置は付設しないで、下着の丸首シャツやランニングシャツのように、いわゆる被って装着する。
この実施例で用いられる健康コートは、従来からある使い勝手の悪い丹前などとは異なり、首及び腕を通し、肩近傍のみの装着であるので、軽快で外れ難くゴルフなどのスポーツに最適であり、さらに、ショール型の防寒製品とは異なり、首及び腕を通して、肩近傍のみを防寒するので、拘束感なく睡眠時に使用して快適であると共に、睡眠時の寝返りなどの動きによって捲れたり、ずれたりすることで、その機能を十分に果たせない状態になることもない。
【００１６】
以上のように、この実施例によれば、健康コートは、肩部及びその周辺にある僧帽筋などの筋肉組織が十分に保護され、装着が容易で、軽く、拘束感も小さく、また睡眠時の動きによっても装着状態が変わらないなどの作用効果があり、更に首筋から肩と肩甲骨、心臓を冷えから護ることができる。
この実施例において、中間部３２付近を布地が二重になるようにすれば、特に保温効果が優れたものになる。この健康コートでは開閉装置を付設しないので、装着には開閉装置付きのものより容易ではないが、スポーツを行うときのように激しい動きや就寝時の無意識の動きにも脱げるようなことはない。
【産業上の利用可能性】
【００１７】
本考案の健康コートは、拘束感が少なく、また睡眠時の動きによっても装着状態が変わらないため、睡眠時に、首筋から肩と肩甲骨、さらに心臓を、冷えから完全に護る寝具として有効に利用できる。また、装着が容易で、軽く、拘束感も少ないことから、日中の活動時でも、冬期の冷気や夏期の室内の冷房による体の冷えからくる血行障害などを防ぐのにも効果を発揮するので、スポーツ字や就寝時に用いて最適である。
【図面の簡単な説明】
【００１８】
【図１】本考案の一実施例である実施例１に係る健康コートの正面図。
【図２】図１の健康コートの前後を開いて一枚の生地にした状態の平面図。
【図３】図１の健康コートを装着した状態の正面図及び背面図。
【図４】人体の肩の近傍にある僧帽筋を示す平面図。
【図５】本考案の一実施例である実施例２に係る健康コートの正面図。
【図６】図５の健康コートの前後を開いて一枚の生地にした状態の平面図。
【図７】本考案の一実施例である実施例３に係る健康コートの正面図。
【図８】図７の健康コートの前後を開いて一枚の生地にした状態の平面図。
【符号の説明】
【００１９】
１、２１、３１・・・健康コート前面部
２、２２、３２・・・健康コート中間部
２ａ、２２ａ、３２ａ・・・中間部前部
２ｂ、２２ｂ、３２ｂ・・・中間部後部
３、２３、３３・・・健康コート背面部
４、２４、３４・・・腕部を通す空間
５、２５、３５・・・頸部を通す空間
６・・・前開きファスナー
７・・・前開きボタン
８・・・前開きワンタッチテープ
２６・・・ファスナー
２７・・・ボタン
２７・・・ワンタッチテープ
【図１】
0003124174.tif 000003
【図２】
0003124174.tif 000004
【図３】
0003124174.tif 000005
【図４】
0003124174.tif 000006
【図５】
0003124174.tif 000007
【図６】
0003124174.tif 000008
【図７】
0003124174.tif 000009
【図８】
0003124174.tif 000010